(57)【要約】【課題】ダンパ装置の開口を開閉する開閉体周縁での熱漏洩を低減したダンパ装置、及びこのダンパ装置を備えて省エネルギー性能の向上した冷蔵庫を得ることを目的とする。【解決手段】開口を有するフレームと、この開口を開閉する開閉体と、この開閉体を駆動する駆動手段と、を備え、開閉体は断熱空間を有する。また、冷蔵庫本体に区画形成されて食品を収納する貯蔵室と、前記貯蔵室を冷却する冷気が熱交換される冷却器と、前記冷却器が設けられる冷却器収納室と、前記冷却器で熱交換された冷気を前記貯蔵室に送風する送風機と、前記貯蔵室へ冷気を送風する送風ダクトと、前記送風ダクトへの送風を制御するダンパ装置と、を備え、該ダンパ装置は、開口を有するフレームと、前記開口を開閉する開閉体と、前記開閉体を駆動する駆動手段と、を備え、前記開閉体は断熱空間を有することを特徴とする。【選択図】  図７
2012021653.tif 000002
【特許請求の範囲】
【請求項１】
開口を有するフレームと、前記開口を開閉する開閉体と、前記開閉体を駆動する駆動手段と、を備え、前記開閉体は断熱空間を有することを特徴とするダンパ装置。
【請求項２】
開口を有するフレームと、前記開口を開閉する開閉体と、前記開閉体を駆動する駆動手段と、を備え、前記開閉体は前記開口の反対側の面に断熱部材を設けたことを特徴とするダンパ装置。
【請求項３】
前記フレームの開口縁と接触する面に発泡断熱材を設けたことを特徴とする、請求項１又は２記載のダンパ装置。
【請求項４】
前記開閉体は前記開口の反対側の面に複数のリブを有し、該リブと前記断熱部材との間に断熱空間を形成したことを特徴とする、請求項２記載のダンパ装置。
【請求項５】
冷蔵庫本体に区画形成されて食品を収納する貯蔵室と、
前記貯蔵室を冷却する冷気が熱交換される冷却器と、
前記冷却器が設けられる冷却器収納室と、
前記冷却器で熱交換された冷気を前記貯蔵室に送風する送風機と、
前記貯蔵室へ冷気を送風する送風ダクトと、
前記送風ダクトへの送風を制御するダンパ装置と、を備え、
該ダンパ装置は、開口を有するフレームと、前記開口を開閉する開閉体と、前記開閉体を駆動する駆動手段と、を備え、前記開閉体は断熱空間を有することを特徴とする冷蔵庫。
【発明の詳細な説明】
【技術分野】
【０００１】
本発明は、ダンパ装置及びこれを備えた冷蔵庫に関する。
【背景技術】
【０００２】
従来、冷蔵温度帯の貯蔵室と冷凍温度帯の貯蔵室を有し、冷却器によって熱交換された冷気を送風手段で各貯蔵室に送風する、いわゆる冷気強制循環方式の冷蔵庫において、各貯蔵室への冷気流量を制御するために、開閉式のダンパ装置を備え、該ダンパ装置を開閉制御する構成が知られている。
【０００３】
特開２００５−２４１０５１号公報（特許文献１）では、電動機構とこの電動機構によって冷気通路を開閉する作動板と、この作動板を取り囲んで前記冷気通路の一部を構成する通路壁を備えたダンパ装置において、前記通路壁には前記作動板が開閉する開口部を形成し、前記作動板と前記開口部周縁には前記作動板が前記開口部を閉じるとき相互に当接して前記開口部を閉塞する弾性部材をそれぞれ設けたことを特徴とするダンパ装置が記載されている。
【先行技術文献】
【特許文献】
【０００４】
【特許文献１】特開２００５−２４１０５１号公報
【発明の概要】
【発明が解決しようとする課題】
【０００５】
しかしながら、特許文献１に記載の構成において、風路内に設置した開口部を作動板で閉じた場合、開口部を境にして風路上流側と下流側とでは、温度差が生じる。その結果、作動板に結露水が付着して、凍結するおそれがある。また、結露板が凍結することで作動板が動作しないおそれがある。
【０００６】
また、蒸発器に成長した霜をヒータ等で溶かす除霜運転の場合、風路内に設置した開口部を作動板で閉じる。このとき、開口部の閉塞が不十分だと、風路内から貯蔵室へ熱漏洩があり、貯蔵室の温度が上昇するおそれがある。
【０００７】
そこで本発明は、ダンパ装置の開口を開閉する開閉体周縁での熱漏洩を低減したダンパ装置、及びこのダンパ装置を備えて省エネルギー性能の向上した冷蔵庫を得ることを目的とする。
【課題を解決するための手段】
【０００８】
上記課題を解決するために、例えば特許請求の範囲に記載の構成を採用する。本願は上記課題を解決する手段を複数含んでいるが、その一例を挙げるならば、開口を有するフレームと、前記開口を開閉する開閉体と、前記開閉体を駆動する駆動手段と、を備え、前記開閉体は断熱空間を有することを特徴とする。
【発明の効果】
【０００９】
本発明によれば、ダンパ装置の開口を開閉する開閉体周縁での熱漏洩を低減したダンパ装置、及びこのダンパ装置を備えて省エネルギー性能の向上した冷蔵庫を得ることができる。
【図面の簡単な説明】
【００１０】
【図１】本発明の実施形態に係る冷蔵庫の正面外形図である。
【図２】冷蔵庫の庫内の構成を表す図１のＸ−Ｘ断面図である。
【図３】冷蔵庫の庫内の構成を表す正面図である。
【図４】図２の要部拡大説明図である。
【図５】本発明の実施形態に係るダンパ装置の全体構成を示す斜視図である。
【図６】図５を矢印Ｓ方向から見た斜視図である。
【図７】図５のＹ−Ｙ断面図である。
【図８】本発明の実施形態２を示す図である。
【図９】本発明の実施形態３を示す図である。
【図１０】本発明の実施形態４を示す図である。
【発明を実施するための形態】
【００１１】
以下、本発明の実施形態を、図面を参照しながら詳細に説明する。
【００１２】
図１は、本実施形態の冷蔵庫の正面外形図である。図２は、冷蔵庫の庫内の構成を表す図１におけるＸ−Ｘ縦断面図である。図３は、冷蔵庫の庫内の構成を表す正面図であり、図４は、図２の要部拡大説明図であり、冷気ダクトや吹き出し口の配置などを示す図である。図１に示すように、本実施形態の冷蔵庫１は、上方から、冷蔵室２，製氷室３及び上段冷凍室４，下段冷凍室５，野菜室６を有する。一例として、冷蔵室２及び野菜室６は、およそ３〜５℃の冷蔵温度帯の貯蔵室である。また、製氷室３，上段冷凍室４及び下段冷凍室５は、およそ−１８℃の冷凍温度帯の貯蔵室である。
【００１３】
冷蔵室２は前方側に、左右に分割された観音開き（いわゆるフレンチ型）の冷蔵室扉２ａ，２ｂを備えている。製氷室３，上段冷凍室４，下段冷凍室５，野菜室６は、それぞれ引き出し式の製氷室扉３ａ，上段冷凍室扉４ａ，下段冷凍室扉５ａ，野菜室扉６ａを備えている。
【００１４】
また、冷蔵庫１は、上記各扉の開閉状態をそれぞれ検知する扉センサ（図示なし）と、各扉が開放していると判定された状態が所定時間、例えば、１分間以上継続された場合に、使用者に報知するアラーム（図示なし）と、冷蔵室２の温度設定や上段冷凍室４や下段冷凍室５の温度設定をする温度設定器（図示なし）等を備えている。
【００１５】
図２に示すように、冷蔵庫１の庫外と庫内は、内箱１０ａと外箱１０ｂとの間に発泡断熱材（発泡ポリウレタン）を充填することにより形成される断熱箱体１０により隔てられている。また、冷蔵庫１の断熱箱体１０は複数の真空断熱材２５を実装している。
【００１６】
庫内は、断熱仕切壁２８により冷蔵室２と、上段冷凍室４及び製氷室３（図１参照）とが隔てられ、断熱仕切壁２９により、下段冷凍室５と野菜室６とが隔てられている。
【００１７】
冷蔵室扉２ａ，２ｂの貯蔵室内側には、複数の扉ポケット３２が備えられている（図２参照）。また、冷蔵室２は複数の棚３６により、縦方向に複数の貯蔵スペースに区画されている。
【００１８】
図２に示すように、製氷室３，上段冷凍室４，下段冷凍室５及び野菜室６は、それぞれの貯蔵室の前方に備えられた扉の枠体に、収納容器３ｂ，４ｂ，５ｂ，６ｂがそれぞれ懸架して設けられている。そして、各貯蔵室扉の図示しない取手部に手を掛けて手前側に引き出すことにより、収納容器３ｂ，４ｂ，５ｂ，６ｂが引き出せるようになっている。
【００１９】
図２に示すように（適宜図３参照）、冷却器７は下段冷凍室５の略背部に備えられた冷却器収納室８内に設けられている。冷却器７の上方に送風機９が設けられている。冷却器７で熱交換して冷やされた空気（以下、冷却器７で熱交換した低温の空気を「冷気」という）は、送風機９によって冷蔵室送風ダクト１１，野菜室送風ダクト６ａ，上段冷凍室送風ダクト１２，下段冷凍室送風ダクト１３及び図示しない製氷室送風ダクトを介して、冷蔵室２，野菜室６，上段冷凍室４，下段冷凍室５，製氷室３の各貯蔵室へ送られる。各貯蔵室への送風は、冷蔵室ダンパ装置２０と冷凍室ダンパ装置５０の開閉により制御される。
【００２０】
ちなみに、冷蔵室２，製氷室３，上段冷凍室４，下段冷凍室５及び野菜室６への各送風ダクトは、図３に破線で示すように冷蔵庫１の各貯蔵室の背面側に設けられている。
【００２１】
具体的には、冷蔵室ダンパ装置２０が開状態、冷凍室ダンパ装置５０が閉状態のときには、冷気は、冷蔵室送風ダクト１１を経て多段に設けられた吹き出し口２ｃから冷蔵室２に送られる。そして、冷蔵室送風ダクト１１から分岐した野菜室送風ダクト６ａを経て、吹き出し口６ｃから野菜室６に送られる。
【００２２】
なお、冷蔵室２を冷却した冷気は、例えば、冷蔵室２の下面に設けられた戻り口２ｄから冷蔵室戻りダクト１６を経て、冷却器収納室８の正面から見て、例えば、右側下部に戻る。また、野菜室６からの戻り空気は、戻り口６ｄを経て、冷却器収納室８の下部に戻る。
【００２３】
冷凍室ダンパ５０が開状態のとき、冷却器７で熱交換された冷気が送風機９により図示省略の製氷室送風ダクトや上段冷凍室送風ダクト１２を経て吹き出し口３ｃ，４ｃからそれぞれ製氷室３，上段冷凍室４へ送風される。また、下段冷凍室送風ダクト１３を経て吹き出し口５ｃから下段冷凍室５へ送風される。この点、冷凍室ダンパ装置５０は、後述する送風機カバー５６部の上方に取り付けられ、先の、製氷室３への送風を容易にしている。
【００２４】
また、上段冷凍室４，下段冷凍室５，製氷室３を冷却した冷気は、下段冷凍室５の奥下方に設けられた冷凍室戻り口１７を介して、冷却器収納室８に戻る。
【００２５】
そして図４において、吹き出し口３ｃ，４ｃ，５ｃを形成するのが仕切５４である。この仕切５４は冷凍室４，製氷室３及び下段冷凍室５と、冷却器収納室８を区画する。
【００２６】
次に、図２において５５は、送風機９が取り付けられている送風機固定部である。この送風機固定部５５は、冷却器収納室８と仕切５４間を区画している。送風機９は送風機固定部５５に取り付けられている。
【００２７】
５６は送風機カバーで、送風機９の前面を覆っている。この送風機カバー５６と仕切５４との間には、冷気ダクト１３が形成されている。また、この送風機カバー５６の上部は、先の冷凍室ダンパ装置５０の吹き出し口５６ａを形成している。
【００２８】
また、この送風機カバー５６は、送風機９の前面を覆う整流部（図４参照）を備える。これによって、吹き出す冷気が引き起こす乱流を整流して、騒音等の発生を防止する。
【００２９】
また、送風機カバー５６は仕切５４との間に、送風機９より吹き出された冷気を吹き出し口３ｃ，４ｃ，５ｃ等に導くべく、上段冷凍室送風ダクト１２、及び下段冷凍室送風ダクト１３を形成している。
【００３０】
さらに、この送風機カバー５６は、送風機９が吹き出す冷気を冷蔵室ダンパ装置２０側に送風する役目も果たしている。すなわち、送風機カバー５６部に設けられた冷凍室ダンパ装置５０側に流れない冷気は、冷蔵室ダクト１５を経由して、図４の如く冷蔵室ダンパ装置２０側に流れる。
【００３１】
そして、冷凍温度帯室（上段冷凍室４，下段冷凍室５及び製氷室３）と、冷蔵温度帯室（冷蔵室２及び野菜室６）との両方の貯蔵室に冷却器７を経た冷気を送る時には、圧倒的に冷凍室ダンパ装置５０側に冷気は送られるが、わずかの冷気はこの冷蔵室ダクト１５側に行くよう構成されている。
【００３２】
なお、上記の冷蔵室ダンパ装置２０は、図４にも示す如く冷蔵室２の後部に取り付けられているものである。
【００３３】
また、冷却器７の下方に除霜ヒータ２２が設置されており、除霜ヒータ２２の上方には、除霜水が除霜ヒータ２２に滴下することを防止するために、上部カバー５３が設けられている。
【００３４】
冷却器７及びその周辺の冷却器収納室８の壁に付着した霜の除霜（融解）によって生じた除霜水は、冷却器収納室８の下部に備えられた樋２３に流入した後に、排水管２７を介して後記する機械室１９に配された蒸発皿２１に達し、後記する凝縮器（図示せず）の熱により蒸発させられる。
【００３５】
また、冷却器７の正面から見て右上部には冷却器に取り付けられた冷却器温度センサ３５、冷蔵室２には冷蔵室温度センサ３３、下段冷凍室５には冷凍室温度センサ３４がそれぞれ備えられており、それぞれ冷却器７の温度（以下、「冷却器温度」という）、冷蔵室２の温度（以下、「冷蔵室温度」という）、下段冷凍室５の温度（以下、冷凍室温度と称する）を検知できるようになっている。
【００３６】
さらに、冷蔵庫１は、庫外の温湿度環境（外気温度，外気湿度）を検知する図示しない外気温度センサと外気湿度センサを備えている。なお、野菜室６にも野菜室温度センサ３３ａを配置しても良い。
【００３７】
断熱箱体１０の下部背面側には、機械室１９が設けられており、機械室１９には、圧縮機２４及び図示しない凝縮器が収納されており、図示しない庫外送風機により凝縮器の熱が除熱される。ちなみに、本実施形態では、イソブタンを冷媒として用い、冷媒封入量は約８０ｇと少量にしている。
【００３８】
冷蔵庫１の天井壁上面側にはＣＰＵ，ＲＯＭやＲＡＭ等のメモリ，インターフェース回路等を搭載した制御基板３１が配置されている。制御基板３１は、前記した外気温度センサ，外気湿度センサ，冷却器温度センサ３５，冷蔵室温度センサ３３，冷凍室温度センサ３４，各扉の開閉状態をそれぞれ検知する扉センサ，冷蔵室２内壁に設けられた図示しない温度設定器，下段冷凍室５内壁に設けられた図示しない温度設定器等と接続する。そして、前記ＲＯＭに予め搭載されたプログラムにより、圧縮機２４のＯＮ／ＯＦＦや回転数の制御、冷蔵室ダンパ装置２０及び冷凍室ダンパ装置５０を個別に駆動する後述するそれぞれの駆動モータの制御、送風機９のＯＮ／ＯＦＦや回転速度の制御、扉開放状態を報知するアラームのＯＮ／ＯＦＦ等の制御を行う。
【００３９】
次に、冷蔵室ダンパ装置２０が閉状態で、且つ冷凍室ダンパ装置５０が開状態で、冷凍温度帯室（製氷室３，上段冷凍室４及び下段冷凍室５）のみの冷却が行われている場合、製氷室３に製氷室送風ダクトを介して送風された冷気及び上段冷凍室４に上段冷凍室送風ダクト１２（図２参照）を介して送風された冷気は、下段冷凍室５に下降する。そして、下段冷凍室５に下段冷凍室送風ダクト１３（図２参照）を介して送風された冷気とともに、図４中に矢印Ｃで示す冷凍室戻り空気のように流れる。すなわち、下段冷凍室５の背面下部に配された冷凍室戻り口１７を経由して、冷却器収納室８の下部前方から冷却器収納室８に流入し、冷却器配管７ａに多数のフィンが取り付けられて構成された冷却器７と熱交換する。ちなみに、冷凍室戻り口１７の横幅寸法は、冷却器７の幅寸法とほぼ等しい横幅である。
【００４０】
一方、冷蔵室ダンパ装置２０が開状態で、且つ冷凍室ダンパ装置５０が閉状態で、冷蔵温度帯室（冷蔵室２及び野菜室６）のみの冷却が行われている場合、冷蔵室２からの戻り冷気は、図３中に矢印Ｄで示す冷蔵室戻り空気のように、冷蔵室戻りダクト１６を介して、冷却器収納室８の側方下部から冷却器収納室８に流入し、冷却器７と熱交換する。
【００４１】
なお、野菜室６を冷却した冷気は、図４に示す如く、野菜室戻り口６ｄを介して、冷却器収納室８の下部に流入するが、風量は冷凍温度帯室を循環する風量や冷蔵室２を循環する風量に比べて少ない。
【００４２】
上記にて説明したように、冷蔵庫１内の冷気の切り替えは、冷蔵室ダンパ装置２０及び冷凍室ダンパ装置５０、それぞれを適宜に開閉することにより行う構成である。
【００４３】
次に、図５から図１１を用いて、冷凍室ダンパ装置５０を例としてダンパ装置の構成について説明する。
【００４４】
図５は、冷凍室ダンパ装置の構成の一例を示す斜視図である。図６は、図５を矢印Ｓ方向から見た斜視図である。図７は、図５におけるＹ−Ｙ方向の断面図である。
【００４５】
冷凍室ダンパ装置５０は、開口６２を一面に備えた、例えば樹脂製の一体成形された横長のフレーム６３と、フレーム６３の一端（長方形状の短手部）にモータや減速歯車などの駆動系を内蔵した駆動手段６０を備え、駆動軸６１から駆動力を出力する。開閉体６４は、フレーム６３の開口６２に対向して設けられており、開閉体６４の一端は駆動軸６１に軸支されており、開閉体６４の他端はフレーム６３の他端に設けられた支軸６５のまわりに回転自在に設けられている。
【００４６】
図５から図７は、開閉体６４が閉鎖された状態を示している。モータを回転させると、駆動軸６１を介して開閉体６４が矢印方向（図５，図７参照）におよそ９０°回動して開閉体は６４′で示した開位置となり、開位置と閉位置との間を開閉体６４が開閉動作することによって、開位置においては開口６２を冷気が通過することができ、閉位置においては冷気の流れを阻止して閉鎖する構成である。
【００４７】
開閉体６４は、樹脂製の開閉板６４ａに断熱空間６４ｂを備える。開閉体６４の断熱空間６４ｂは、熱伝導率が一般的に気体，液体，固体の順番に大きくなることを考慮して、気体であることが望ましい。すなわち、空気断熱層を有する開閉体６４とする。これにより、開口６２の上流側と下流側との冷気の流れを遮断するように開閉体６４を閉じた場合、断熱空間６４ｂを備えることで、熱伝導が抑制されて、開閉体６４周縁からの熱漏洩を低減することができる。また、開閉体６４の表面に結露水が付着することを防止できる。
【００４８】
また、開閉板６４ａは、成型時の反りやねじれ等の変形を防ぐためにリブを備える形状であっても良い。開閉体６４は、駆動軸６１と支軸６５とを結んだ回動軸のまわりに揺動自在であり、かつ該回動軸は開閉体６４の長手方向の一辺と沿うように略平行に、その一辺の近傍に配置されている。
【００４９】
次に、上記の実施形態１とは異なる実施形態について説明する。まず、図８を参照して実施形態２について説明する。
【００５０】
図８は、図７に示した断熱空間６４ｂを備え、さらに開閉板６４ａの両面に断熱部材６４ｃを設けた構成である。断熱部材６４ｃとしては、発泡断熱材，真空断熱材その他周知の断熱材であれば適用可能である。実施形態２によれば、開閉体６４の断熱性能が更に高まり、熱伝導が抑制されて、開閉体６４周縁からの熱漏洩を低減することができる。また、開閉体６４の表面に結露水が付着することを防止できる。
【００５１】
次に、図９に実施形態３を示す。図９は、板状の開閉板６４ａの両面に断熱部材６４ｃを設けて、開閉体６４に断熱構造を有する構成となっている。断熱部材６４ｃとしては、発泡断熱材，真空断熱材その他周知の断熱材であれば適用可能である。特にフレーム６３の開口縁である接触部６６と接触する部分の断熱部材６４ｃは、発泡断熱材とする。これにより、接触部６６と接触する部分の断熱部材６４ｃは、緩衝部材としての役割も果たし、さらに密閉度を高めることができる。一方、開閉体６４の背面側（接触部６６と接触しない側）の断熱部材６４ｃを真空断熱材とする。すなわち、真空断熱材の外被材を傷つけるおそれのない部分に真空断熱材を適用することで、開閉体６４全体の断熱性能を高めることができる。
【００５２】
次に、図１０に実施形態４を示す。図１０は、板状の開閉板６４ａの両面に断熱部材６４ｃを設けて、開閉板６４ａは成型時の反りやねじれ等の変形を防ぐために接触部６６と接触する面の反対面にリブを備える形状としている。また、リブを設けたことで、開閉板６４ａと断熱部材６４ｃの間に断熱空間６４ｂを備えている。これにより、開閉体６４の強度が向上するとともに、熱伝導が抑制されて、開閉体６４周縁からの熱漏洩を低減することができる。また、開閉体６４の表面に結露水が付着することを防止できる。
【００５３】
なお、本発明は上記した各実施形態に限定されるものではなく、同様の作用効果を奏することができるものであれば、各種の変形又は拡張ができる。
【００５４】
以上説明したように、本発明は開閉体に断熱空間や断熱部材を備え、断熱構造を設ける。これにより、開閉体周縁での熱漏洩を低減することができる。
【００５５】
また、リブを設けることで、開閉体の弾性変形や、樹脂成型の際に生じる反りやねじれによる、開閉体を閉鎖した際のフレームと開閉体との間に生じる隙間を抑止できる。従って、冷蔵庫内の食品を所定温度範囲に維持しながら省エネルギー性能を確保し、食品の貯蔵温度維持ができる冷蔵庫を得ることができる。
【符号の説明】
【００５６】
１  冷蔵庫
２  冷蔵室（冷蔵温度帯室）
３  製氷室（冷凍温度帯室）
４  上段冷凍室（冷凍温度帯室）
５  下段冷凍室（冷凍温度帯室）
６  野菜室（冷蔵温度帯室）
２０  冷蔵室ダンパ装置
５０  冷凍室ダンパ装置
６０  駆動手段
６１  駆動軸
６２  開口
６３  フレーム
６４  開閉体
６４ａ  開閉板
６４ｂ  断熱空間
６４ｃ  断熱部材
６５  支軸
６６  接触部
【図１】
2012021653.tif 000003
【図２】
2012021653.tif 000004
【図３】
2012021653.tif 000005
【図４】
2012021653.tif 000006
【図５】
2012021653.tif 000007
【図６】
2012021653.tif 000008
【図７】
2012021653.tif 000009
【図８】
2012021653.tif 000010
【図９】
2012021653.tif 000011
【図１０】
2012021653.tif 000012